(57)【要約】【課題】酸素富化空気でリフレッシュしながら健康状態の監視、管理サービスが受けられる酸素富化機を提供する。【解決手段】酸素富化空気を生成する酸素富化手段３と、酸素富化手段３と連結管を介して接続されるとともに前記酸素富化空気を使用者に供給する酸素富化空気吐出手段１ｂと、使用者の健康状態を検知する検知手段１ｈと、前記検知手段１ｈで検知された情報を離れた病院などに設けられた第２の送受信手段１５に送信する第１の送受信手段６とを備えたもので、使用者は、酸素富化空気を得て心身ともリフレッシュできるとともに、使用者の健康状態に関する情報が医者に送られ、それで健康診断が受けられるので、安心である。【選択図】図２
2005152301.tif 000002
【特許請求の範囲】
【請求項１】
酸素富化空気を生成する酸素富化手段と、前記酸素富化手段と連結管を介して接続されるとともに前記酸素富化空気を使用者に供給する酸素富化空気吐出手段と、使用者の健康状態を検知する検知手段と、前記検知手段で検知された情報を外部に設けられた第２の送受信手段に送信する第１の送受信手段と、前記第１の送受信手段を制御する第１の制御手段とを備えた酸素富化機。
【請求項２】
使用者の個人情報を記憶する記憶手段を備え、第１の送受信手段で前記記憶手段に記憶された個人情報を第２の送受信手段に送信する請求項１記載の酸素富化機。
【請求項３】
請求項１または２記載の酸素富化機の第１の送受信手段より送られてきた使用者の健康状態に関する情報を第２の送受信手段で受信し、前記第２の送受信手段で受信された情報を分析して、前記使用者の健康管理を行う健康管理システム。
【請求項４】
第２の送受信手段で受信した使用者の健康状態に関する情報と個人情報を分析し、その分析結果に異常があると判断された場合に、該使用者に通知する請求項３記載の健康管理システム。
【請求項５】
第２の送受信手段を設置した場所に複数の使用者の個々の健康状態に関する情報を蓄積するサーバを備え、前記各使用者の健康状態を継続的に蓄積、分析、診断して前記各使用者に健康維持のアドバイスを行う請求項３または４記載の健康管理システム。
【請求項６】
請求項１又２記載の酸素富化機に表示手段を設け、使用者の健康状態の診断結果を第２の送受信手段より第１の送受信手段に送信し、前記第１の送受信手段で受信された前記診断結果を前記表示手段に表示する請求項３〜５のいずれか１項に記載の健康管理システム。
【請求項７】
第１の送受信手段と第２の送受信手段間の送信または／及び受信に電話回線等の公衆回線を用いる請求項２〜６のいずれか１項に記載の健康管理システム。
【発明の詳細な説明】
【技術分野】
【０００１】
本発明は、酸素富化空気を使用者に提供する酸素富化機に関し、特に使用者の健康状態を検知する検知手段を備えた酸素富化機及び健康管理システムに関するものである。
【背景技術】
【０００２】
従来の酸素富化機として、空気中の酸素を濃縮して酸素富化空気を発生させる装置本体と、これに接続された酸素吐出部と、音声発生源と、ヘッドホンタイプの音声出力部等を備え、前記酸素吐出部と前記音声出力部を一体にし、前記酸素吐出部を人体の口の近傍に位置させることで酸素富化空気が吸入できるようにしたものがあった（例えば、特許文献１参照）。
【０００３】
また従来の健康管理システムとしては、在宅者等が使用するパソコンに監視カメラを主とするセンサを接続し、在宅者等の健康状態をモニタして該データを監視センタに伝送したり、異常時には在宅者を救護するために出動拠点に通報するというものがある（例えば、特許文献２参照）。
【特許文献１】特開平３−０６３０６７号公報
【特許文献２】特開２０００−１２３２７６号公報
【発明の開示】
【発明が解決しようとする課題】
【０００４】
しかしながら前記従来の酸素富化機は所定の酸素富化空気を吐出部から発生させて使用者をケアする以外の健康管理機能は無く、使用者の健康状態に応じた酸素富化機の運転制御ができないために、酸素富化空気吸引による心身へのリフレッシュ効果が充分発揮できないという課題があった。
【０００５】
又、前記従来の健康管理システムは健康状態を在宅監視するためだけに専用のパソコン等の端末や前記パソコンに接続するセンサ等を購入する必要があるため、例えば一人暮らしのお年寄り等健康管理の必要性が極めて高い人にしか受け入れられ難いという課題があった。
【０００６】
本発明は、上記従来の課題を解決するもので、安価な構成で、酸素富化空気を供給して使用者の心身をリフレッシュしながら、使用中に測定された使用者の健康状態を外部に送信して診断してもらう事ができる酸素富化機および健康管理システムを提供することを目的とする。
【課題を解決するための手段】
【０００７】
前記従来の課題を解決するために、本発明の酸素富化機は、酸素富化空気を生成する酸素富化手段と、前記酸素富化手段と連結管を介して接続されるとともに前記酸素富化空気を使用者に供給する酸素富化空気吐出手段と、使用者の健康状態を検知する検知手段と、前記検知手段で検知された情報を外部に設けられた第２の送受信手段に送信する第１の送受信手段と、前記第１の送受信手段を制御する第１の制御手段とを備えたもので、使用者は、酸素富化空気吐出手段より酸素富化空気を得て心身ともリフレッシュできるとともに、第２の送受信手段を例えば、病院や診断センタに配置しておけば、使用者の健康状態に関する情報を医者に送ることができると共に、それで診断が受けられるので、安心して健康な生活がおくれるものである。また、酸素富化機を情報端末として使用できるので、特別な機器購入のための投資負担が少なくて済み、健康管理システムを手軽に利用することができる。
【０００８】
また、本発明の健康管理システムは、上記酸素富化機の第１の送受信手段より送られてきた使用者の健康状態に関する情報を第２の送受信手段で受信し、前記第２の送受信手段で受信された情報を分析して、前記使用者の健康管理を行うもので、使用者は、酸素富化空気吐出手段より酸素富化空気を得て心身ともリフレッシュできるとともに、第２の送受信手段を例えば、離れた病院や診断センタに配置しておけば、使用者の健康状態に関する情報を医者に送ることができると共に、それで診断が受けられるので、使用者は安心してしかも健康的な生活を送ることができる。しかも、比較的手軽な価格で供給されているとともに、それ自身で疲れをリフレッシュできる機能を備えた酸素富化機を情報端末として使用できるので、特別な機器購入のための投資負担が少なくて済み、健康管理システムを手軽に構築、利用することができる。
【発明の効果】
【０００９】
以上のように本発明によれば、パソコンなど高価な情報端末を使用することなく、酸素富化空気でリフレッシュしながら、同時に自分の健康状態が離れた診断センターなどで分析、診断されるので安心して暮らせる。
【発明を実施するための最良の形態】
【００１０】
第１の発明は、酸素富化空気を生成する酸素富化手段と、前記酸素富化手段と連結管を介して接続されるとともに前記酸素富化空気を使用者に供給する酸素富化空気吐出手段と、使用者の健康状態を検知する検知手段と、前記検知手段で検知された情報を外部に設けられた第２の送受信手段に送信する第１の送受信手段と、前記第１の送受信手段を制御する第１の制御手段とを備えたもので、使用者は、酸素富化空気吐出手段より酸素富化空気を得て心身ともリフレッシュできるとともに、第２の送受信手段を例えば病院や診断センタに配置しておけば、使用者の健康状態に関する情報を医者に送り、それで診断が受けられるので、安心して健康な生活が送れる。
【００１１】
第２の発明は、特に、第１の発明の使用者の個人情報を記憶する記憶手段を備え、第１の送受信手段で前記記憶手段に記憶された個人情報を第２の送受信手段に送信するもので、性別、年齢、既往症、係り付けの医者の名前等を記憶させておき、それを健康状態に関する検知結果と一緒に第２の送受信手段に送信すれば、診断する側で、より的確な診断、アドバイスができるようになる。
【００１２】
第３の発明は、上記酸素富化機の第１の送受信手段より送られてきた使用者の健康状態に関する情報を第２の送受信手段で受信し、前記第２の送受信手段で受信された情報を分析して、前記使用者の健康管理を行うもので、使用者は、酸素富化空気吐出手段より酸素富化空気を得て心身ともリフレッシュできるとともに、第２の送受信手段を例えば、離れた病院や診断センタに配置しておけば、使用者の健康状態に関する情報を医者に送ることができると共に、それで診断が受けられるので、使用者は安心してしかも健康的な生活をエンジョイすることができる。
【００１３】
第４の発明は、特に第３の発明の第２の送受信手段で受信した使用者の健康状態に関する情報、個人情報を分析し、その分析結果に異常があると判断された場合に、該使用者に通知するもので、万が一の場合、救急車、医師、医薬品等を派遣したり送ったりすることができるので、使用者にとって安心できる健康管理サービスを構築することができる。
【００１４】
第５の発明は、特に、第３または第４の発明の第２の送受信手段を設置した場所に複数の使用者の個々の健康状態に関する情報を蓄積するサーバを備え、前記各使用者の健康状態を継続的に蓄積、分析、診断して前記各使用者に健康維持のアドバイスを行うもので、個々の使用者に合ったアドバイスが迅速にしかもきめ細かくできるとともに、健康情報、医療情報の一括管理ができる。
【００１５】
第６の発明は、特に第３〜５の発明のいずれか１つの発明の酸素富化機に表示手段を設け、使用者の健康状態の診断結果を第２の送受信手段より第１の送受信手段に送信し、前記第１の送受信手段で受信された前記診断結果を前記表示手段に表示するもので、酸素富化機を使用する使用者の所に高価な情報端末機器を設置することなく、同酸素富化機に設けた表示手段で、使用者は、第２の送受信手段から送れてきた診断結果の内容や医師からのアドバイス等を確認できる。
【００１６】
第７の発明は、特に第２〜６の発明のいずれか１つの発明の第１の送受信手段と第２の送受信手段間の送信または／及び受信に電話回線等の公衆回線を用いるもので、使用者と第２の送受信手段を設置した監視或いは診断センタ等との送受信回線が簡単に構築できるため、安価でしかも即日健康管理サービスが受けられる。
【００１７】
以下、本発明の実施の形態について、図面を参照しながら説明する。なお、この実施の形態によりこの発明が限定されるものではない。
【００１８】
（実施の形態１）
図１は、本発明の第１の実施の形態における酸素富化機を示す全体構成図で、図２は、前記酸素富化機を用いた健康管理システムの概要を示すブロック図である。
【００１９】
図１において、酸素富化機１の本体１ａの内部には、酸素の濃度を高める、いわゆる酸素富化空気を発生する例えば酸素富化膜ユニット（図示せず）からなる酸素富化手段３と、前記酸素富化手段３を制御する第１の制御手段２が設けられている。酸素富化手段３の酸素富化膜ユニットは、有機高分子の平膜より構成され、膜を通過する分子の速度の差を利用するもので、空気中の窒素に比べ酸素をよく通すため、比較的高い酸素濃度の空気、いわゆる酸素富化空気が得られる。通常の空気において、酸素が占める割合は約２１％（窒素約７９％）であるが、本実施の形態の酸素富化膜ユニットを通過後の酸素富化空気においては、酸素が占める割合が約３０％（窒素約７０％）となる。
【００２０】
１ｂは、酸素富化空気を、使用者に供給するためにヘッドセットユニット状に形成された酸素富化空気吐出手段である。１ｃは、塩化ビニル等の柔軟な透明チューブからなり一端が本体１ａに内蔵された酸素富化手段３と連通し、他端は吐出手段１ｂに接続されている。
【００２１】
更に１ｄは使用者が前記酸素富化空気吐出手段１ｂを頭部に装着した際に近傍の血管等の振動を検知して脈拍を検知する脈拍検知手段、１ｅは使用者の呼吸数を検知する呼吸数検知手段、１ｆは使用者の指等に装着して血圧を検知する血圧検知手段、１ｇは記憶手段５の内容（情報）を使用者へ明示・提供するための表示手段で液晶パネル等で構成されている。
【００２２】
脈拍検知手段１ｄ、呼吸数検知手段１ｅ、血圧検知手段１ｆのそれぞれは、第１の制御手段２に接続されている。
【００２３】
図２において、酸素富化機本体１ａ内には、第１の制御手段２で制御される酸素富化手段３と、使用者の年齢、性別、既往症、かかりつけの医者等固有情報を記憶し第１の制御手段２と第１の送受信手段６によって電話回線７を経由して診断センタ１０に送信する情報を保存できる記憶手段５を備えている。
【００２４】
１ｈは、前述の脈拍検知手段１ｄや呼吸数検知手段１ｅ、血圧検知手段１ｆ等で構成される検知手段で、検知手段１ｈで検知された検知情報は、第１の制御手段２で信号処理されて記憶手段５に蓄積される。第１の制御手段２は適当なタイミングで、例えば使用者が酸素富化機１を使用している時に記憶手段５内の個人情報を第１の送受信手段６で電話回線７に送信する。診断センタ１０は、電話回線７によって送られてきた情報を第２の送受信手段１５で受信すると第２の制御手段１１によって記憶手段１２に記憶・蓄積する。
【００２５】
診断センタ１０では、医師等の診断者２０が操作手段１４を操作することで記憶手段１２内に蓄積されている使用者の個人情報を、モニターなどの表示手段１３に選択・表示させ、その使用者の健康状態などを診断する。診断者２０は、診断の結果、緊急の問題等があると判断すると緊急車３０へ出動を指示する等して、個人情報として登録された場所に出動し、使用者を救護する。
【００２６】
上記のように構成された酸素富化機及び健康管理システムによって、使用者が酸素富化空気吐出手段１ｂや血圧検知手段１ｆを装着しながら酸素富化機を使用することにより、使用者は高濃度の酸素富化空気を吸引することによりリフレッシュすると共に脈拍検知手段１ｄや呼吸数検知手段１ｅや血圧検知手段１ｆ等の検知手段１ｈによって検知された健康状態が記憶手段５に蓄積される。蓄積された脈拍、呼吸数、血圧等の健康状態情報は、遠隔地に居る診断者２０の診断を適宜受けることができる。
【００２７】
ところで、本システムでは、診断者２０が操作手段１４を操作することで第２の制御手段１１が第２の送受信手段１５で電話回線７を経由して第１の送受信手段６に送信することで第１の制御手段２によって酸素富化機１の本体１ａの示手段１ｇに表示して使用者に健康状態等に関する情報を知らせることもできることは言うまでもない。
【産業上の利用可能性】
【００２８】
以上のように、本発明にかかる酸素富化機及び健康管理システムは、酸素富化空気で身体をリフレッシュしながら健康状態の監視、管理ができ、しかも安価に構成できるので、使用者が本健康管理システムに加入する際の投資負担が軽減されるもので、使用者が個別に使用する他の各種健康機器にも適用できるものである。
【図面の簡単な説明】
【００２９】
【図１】本発明の実施の形態１における酸素富化機の全体構成を示す全体図
【図２】同酸素富化機を用いた健康管理システムの概要を示すブロック図
【符号の説明】
【００３０】
１    酸素富化機
１ａ  本体
１ｂ  酸素富化空気吐出手段
１ｃ  連結管
１ｄ  脈拍検地手段
１ｅ  呼吸数検地手段
１ｆ  血圧検知手段
１ｇ  表示手段
１ｈ  検知手段
２    第１の制御手段
３    酸素富化手段
５    記憶手段
６    第１の送受信手段
７    通信手段（電話回線）
１０  診断センタ
１１  第２の制御手段
１２  記憶手段
１３  表示手段
１４  操作手段
１５  第２の送受信手段
２０  診断者
【図１】
2005152301.tif 000003
【図２】
2005152301.tif 000004